(57)【要約】【課題】  篩装置に投入された選別対象物を篩部材の広い範囲に薄く分散させ、選別作業の作業性を高める。【解決手段】  篩装置６を構成する篩枠体７の傾斜方向の下側を、軸受１１を用いてフレーム２に回転可能に取付け、篩枠体７の傾斜方向の上側を、弾性体１３を用いてフレーム２に対し上，下方向に揺動可能に支持する。これにより、振動体９によって篩枠体７を振動させたときに、篩枠体７の傾斜方向の下側の振幅ａを小さく、傾斜方向の上側の振幅Ａを大きくすることができる。このため、篩枠体７内に一度に大量の選別対象物Ｗが投入され、篩部材８上に山形に積み重なったとしても、選別対象物Ｗを篩部材８の広い範囲に薄く分散させることができ、篩部材８による選別作業の作業性を高めることができる。【選択図】        図６
2008080239.tif 000002
【特許請求の範囲】
【請求項１】
支持構造体をなすフレームと、該フレームに設けられ選別対象物を篩いにかけて選別する篩装置とからなり、前記篩装置は、水平方向に対して傾斜した篩枠体と、該篩枠体に設けられ所定の粒度以下の小さな選別物を下方に落下させ所定の粒度よりも大きな選別物を前記篩枠体の傾斜に沿って外部に排出する篩部材と、前記篩枠体を介して該篩部材に振動を与える振動体とを備えてなる振動スクリーンにおいて、
前記篩枠体のうち傾斜方向の一端側は前記フレームに対し回転可能に取付け、前記篩枠体のうち傾斜方向の他端側は前記フレームに対し弾性体を用いて揺動可能に支持する構成としたことを特徴とする振動スクリーン。
【請求項２】
前記篩枠体のうち傾斜方向の下側は軸受を用いて前記フレームに回転可能に取付け、
前記振動体は、前記篩枠体の傾斜方向において前記弾性体よりも上側となる部位、または前記軸受と前記弾性体との間となる部位に設ける構成としてなる請求項１に記載の振動スクリーン。
【請求項３】
前記フレームには、前記篩枠体の水平方向に対する傾斜角度を調整する角度調整手段を設ける構成としてなる請求項１または２に記載の振動スクリーン。
【請求項４】
前記フレームは、ベースとなる固定フレームと、該固定フレームに対し支持軸を中心として上，下方向に回動可能に支持された可動フレームとにより構成し、
前記篩枠体のうち傾斜方向の一端側を前記可動フレームに対し回転可能に取付け、前記篩枠体のうち傾斜方向の他端側を前記可動フレームに対し弾性体を用いて揺動可能に支持する構成とし、
前記固定フレームと可動フレームとの間には、前記篩枠体の水平方向に対する傾斜角度を調整する角度調整手段を設ける構成としてなる請求項１または２に記載の振動スクリーン。
【請求項５】
前記篩装置に選別対象物が投入されたことを検出する投入検出手段と、該投入検出手段により選別対象物が投入されたことを検出したときに前記篩枠体の水平方向に対する傾斜角度を調整する角度調整手段とを設ける構成としてなる請求項１，２，３または４に記載の振動スクリーン。
【発明の詳細な説明】
【技術分野】
【０００１】
本発明は、例えば土砂、砕石、木材チップ等の選別対象物を、粒の大きさ（粒度）に応じて選別するのに好適に用いられる振動スクリーンに関する。
【背景技術】
【０００２】
一般に、建設工事、土木工事等の作業現場では、土砂、砕石等を含んだ大量の掘削残土が発生する。そして、発生した掘削残土を埋戻し材、基礎地盤材として再利用するため、この掘削残土に生石灰、セメント等の土質改良材を混合して改良土を生成する土質改良機が知られている。
【０００３】
この場合、土質改良機によって掘削残土と土質改良材とを混合する前作業として、掘削残土に含まれる砕石、土砂等の大きさ（粒度）を選別する必要がある。そして、これら砕石、土砂等の選別対象物を篩いにかけることにより、この選別対象物を所定の粒度以下の小さな選別物と所定の粒度よりも大きな選別物とに選別する振動スクリーンが好適に用いられている（例えば、特許文献１参照）。
【０００４】
【特許文献１】特開２００５−２９６８９３号公報
【０００５】
この従来技術による振動スクリーンは、クローラ式の走行体に設けられた支持構造体をなすフレームと、該フレームに設けられた篩装置とからなり、この篩装置は、水平方向に対し傾斜して設けられた篩枠体と、該篩枠体に設けられ所定の粒度以下の小さな選別物を下方に落下させ所定の粒度よりも大きな選別物を篩枠体の傾斜に沿って外部に排出する篩部材と、篩枠体を介して篩部材に振動を与える振動体とを備えて構成されている。また、篩装置は、通常、篩枠体の傾斜方向の両端側がばね部材等を介してフレームに弾性的に支持され、振動体を作動させることにより、篩枠体全体がフレームに対して上，下方向に揺動（振動）する構成となっている。
【０００６】
そして、上述の振動スクリーンを用いて土砂等の選別作業を行うときには、油圧ショベル等を用いて土砂（選別対象物）を篩装置に投入し、振動体を作動させることにより、所定の粒度以下の小さな土砂は、篩部材に設けられた網目を通過させて下方に落下させ、所定の粒度よりも大きな土砂は、篩枠体の傾斜に沿って篩部材上を流下させ外部に排出することができる。
【０００７】
この場合、振動スクリーンを用いた土砂の選別作業時には、篩部材のできるだけ広い範囲に土砂を薄く分散させた状態で、振動体からの振動を篩部材に与えることにより、小さな土砂と大きな土砂との選別作業を効率良く行うことができる。
【発明の開示】
【発明が解決しようとする課題】
【０００８】
しかし、例えば土木工事の作業現場において土砂等の選別作業を行う場合には、通常、油圧ショベル等を用いて一度に大量の土砂が篩装置に投入されるため、投入された土砂は、篩装置の篩部材上に部分的に厚く山形に積み重なるようになる。これにより、所定の粒度以下の小さな選別物が適正に篩部材を通過することができず、この小さな選別物が篩枠体の傾斜に沿って篩部材上を流下し、大きな選別物用の排出場所に排出されてしまう。
【０００９】
このように、篩装置の篩部材上に山形に土砂が積み重なった場合には、篩部材の広い範囲に亘って土砂が薄く分散した場合に比較して、篩部材による選別作業の効率（篩効率）が低下してしまうという問題がある。
【００１０】
本発明は上述した従来技術の問題に鑑みなされたもので、篩装置に投入された選別対象物を篩部材の広い範囲に薄く分散させることができ、選別対象物を小さな選別物と大きな選別物とに選別するときの作業性を高めることができるようにした振動スクリーンを提供することを目的としている。
【課題を解決するための手段】
【００１１】
上述した課題を解決するため本発明は、支持構造体をなすフレームと、該フレームに設けられ選別対象物を篩いにかけて選別する篩装置とからなり、前記篩装置は、水平方向に対して傾斜した篩枠体と、該篩枠体に設けられ所定の粒度以下の小さな選別物を下方に落下させ所定の粒度よりも大きな選別物を前記篩枠体の傾斜に沿って外部に排出する篩部材と、前記篩枠体を介して該篩部材に振動を与える振動体とを備えてなる振動スクリーンに適用される。
【００１２】
そして、請求項１の発明の特徴は、前記篩枠体のうち傾斜方向の一端側は前記フレームに対し回転可能に取付け、前記篩枠体のうち傾斜方向の他端側は前記フレームに対し弾性体を用いて揺動可能に支持する構成としたことにある。
【００１３】
請求項２の発明は、前記篩枠体のうち傾斜方向の下側は軸受を用いて前記フレームに回転可能に取付け、前記振動体は、前記篩枠体の傾斜方向において前記弾性体よりも上側となる部位、または前記軸受と前記弾性体との間となる部位に設ける構成としたことにある。
【００１４】
請求項３の発明は、前記フレームには、前記篩枠体の水平方向に対する傾斜角度を調整する角度調整手段を設ける構成としたことにある。
【００１５】
請求項４の発明は、前記フレームは、ベースとなる固定フレームと、該固定フレームに対し支持軸を中心として上，下方向に回動可能に支持された可動フレームとにより構成し、前記篩枠体のうち傾斜方向の一端側を前記可動フレームに対し回転可能に取付け、前記篩枠体のうち傾斜方向の他端側を前記可動フレームに対し弾性体を用いて揺動可能に支持する構成とし、前記固定フレームと可動フレームとの間には、前記篩枠体の水平方向に対する傾斜角度を調整する角度調整手段を設ける構成としたことにある。
【００１６】
請求項５の発明は、前記篩装置に選別対象物が投入されたことを検出する投入検出手段と、該投入検出手段により選別対象物が投入されたことを検出したときに前記篩枠体の水平方向に対する傾斜角度を調整する角度調整手段とを設ける構成としたことにある。
【発明の効果】
【００１７】
請求項１の発明によれば、篩装置の振動体を作動させることにより、篩枠体の傾斜方向の一端側とフレームとの取付部を中心として、篩枠体の傾斜方向の他端側を大きく揺動させることができる。これにより、篩枠体の傾斜方向の一端側の振幅を小さく、他端側の振幅を大きくすることができるので、例えば篩装置に投入された大量の選別対象物が篩部材上に山形に積み重なったとしても、この選別対象物の山を速やかに崩して篩部材の広い範囲に薄く分散させることができる。このため、篩部材による選別対象物の選別作業を短時間で効率良く行うことができ、その作業性を高めることができる。
【００１８】
請求項２の発明によれば、篩枠体の傾斜方向において弾性体よりも上側、または軸受と弾性体との間に振動体を設けることにより、自由端となった篩枠体の傾斜方向の上側を大きく揺動させることができ、篩装置に投入された選別対象物を速やかに篩部材の広い範囲に薄く分散させることができる。
【００１９】
請求項３の発明によれば、角度調整手段によって篩枠体の傾斜角度を調整することにより、例えば篩装置に大量の選別対象物を投入するときには、予め篩枠体を水平方向に対して大きく傾斜させることにより、大量の選別対象物が篩部材上に部分的に厚く積み重なるのを抑え、この選別対象物を篩部材の広い範囲に亘って薄く分散させることができる。
【００２０】
請求項４の発明によれば、篩装置が取付けられた可動フレームを、角度調整手段によって支持軸を中心として固定フレームに対して回動させることにより、篩枠体の水平方向に対する傾斜角度を適宜に調整することができる。
【００２１】
請求項５の発明によれば、篩装置に選別対象物を投入したことが投入検出手段によって検出されると、角度調整手段が篩枠体の傾斜角度を調整する。従って、例えば篩装置に大量の選別対象物が投入されたときには、篩部材の傾斜角度を増大させることにより、大量の選別対象物を速やかに篩部材の広い範囲に亘って薄く分散させることができる。また、篩部材上の選別対象物が減少したときには、例えば篩枠体の傾斜角度を減少させることにより、小さな選別物が篩部材の傾斜に沿って外部に排出されてしまうのを抑えることができ、篩部材によって小さな選別物と大きな選別物とを的確に選別することができる。
【発明を実施するための最良の形態】
【００２２】
以下、本発明に係る振動スクリーンの実施の形態を、定置式の振動スクリーンを例に挙げ、図１ないし図１３を参照しつつ詳細に説明する。
【００２３】
まず、図１ないし図６は本発明の第１の実施の形態を示している。図中、１は定置式の振動スクリーンを示し、この振動スクリーン１は、例えば土木作業によって発生した掘削残土に含まれる砕石、土砂等の選別対象物を篩いにかけ、この選別対象物をその粒度の大きさに応じて選別するものである。そして、この振動スクリーン１は、後述のフレーム２、篩装置６、小選別物用コンベヤ１４、大選別物用コンベヤ１９等により構成されている。
【００２４】
２は振動スクリーン１のベースとなるフレームで、該フレーム２は、例えば角パイプ、Ｉ形鋼等の鉄鋼材料を用いて形成され、強固な支持構造体をなしている。ここで、フレーム２は、地面上に配置され前，後方向に延びた長方形状の下枠部３と、該下枠部３に固着して設けられ上方に向けて垂直に立上った複数本の支柱４，４，…と、これら各支柱４の上端部に固着され前，後方向に延びた長方形状の上枠部５とにより大略構成されている。
【００２５】
そして、フレーム２の下枠部３には、後述する小選別物用コンベヤ１４の基端側を支持するコンベヤ支持台３Ａが設けられている。また、フレーム２の上枠部５には、後述の篩装置６が取付けられる構成となっている。
【００２６】
６はフレーム２の上枠部５に取付けられた篩装置で、該篩装置６は、例えば砕石、土砂、木材チップ等の選別対象物を、例えば所定の粒度以下の小さな選別物（以下、小選別物という）と、所定の粒度よりも大きい選別物（以下、大選別物という）とに選別するものである。ここで、篩装置６は、図３ないし図６等に示すように、後述の篩枠体７、篩部材８、振動体９等により構成されている。
【００２７】
７は篩装置６の外殻をなす篩枠体で、該篩枠体７は、水平方向に対し傾斜した状態でフレーム２の上枠部５に取付けられている。ここで、篩枠体７は、図４に示すように、左，右方向で対面し前，後方向に延びた左側面板７Ａ，右側面板７Ｂと、左，右の側面板７Ａ，７Ｂの前端側を連結する前面板７Ｃと、左，右の側面板７Ａ，７Ｂの後端側を連結する後面板７Ｄとにより、全体として前，後方向に延びる長方形の箱状に形成されている。また、篩枠体７の上端側は、選別対象物が投入される長方形の投入開口部７Ｅとなっている。
【００２８】
この場合、篩枠体７は、図３に示すように、投入開口部７Ｅが水平方向に対し所定の角度だけ傾斜した状態で、後述の軸受１１、弾性体１３等を介してフレーム２の上枠部５に取付けられている。そして、篩枠体７内には、投入開口部７Ｅよりも下側に位置して後述の篩部材８が設けられる構成となっている。
【００２９】
８は投入開口部７Ｅよりも下側に位置して篩枠体７内に設けられた篩部材で、該篩部材８は、篩枠体７の投入開口部７Ｅから投入された選別対象物を小選別物と大選別物とに選別し、小選別物は下方に落下させ、大選別物は篩枠体７の傾斜に沿って外部に排出するものである。ここで、篩部材８は、図４等に示すように、例えば小径な棒材等を用いて多数の網目を有する長方形の網状に形成されている。
【００３０】
そして、篩部材８は、篩枠体７の左，右の側面板７Ａ，７Ｂ、前面板７Ｃ、後面板７Ｄに取囲まれた状態で、投入開口部７Ｅと平行となる位置に、ボルト等を用いて着脱可能（交換可能）に取付けられている。従って、篩部材８も、篩枠体７の投入開口部７Ｅと同様に水平方向に対し所定の角度をもって傾斜し、傾斜方向の一端側（下側）である前部側の地上高さが低く、傾斜方向の他端側（上側）である後部側の地上高さが高くなっている。
【００３１】
これにより、篩枠体７の投入開口部７Ｅから篩部材８上に投入された選別対象物は、篩部材８の網目を通過できる小選別物と、網目を通過できない大選別物とに選別され、小選別物は、篩部材８を通過することにより後述の小選別物用コンベヤ１４に向けて下方に落下する。一方、篩部材８を通過できない大選別物は、篩枠体７の傾斜に沿って篩部材８上を後側から前側に向けて流下（転動）することにより、後述の大選別物用コンベヤ１９へと排出される構成となっている。即ち、篩部材８上における大選別物の流れ方向は、篩部材８の傾斜方向と一致している。
【００３２】
９は篩枠体７に設けられた振動体で、該振動体９は、篩枠体７を介して篩部材８に振動を与えるものである。ここで、振動体９は、図４等に示すように、篩枠体７の左，右の側面板７Ａ，７Ｂにそれぞれ取付けられた有蓋円筒状のケーシング９Ａ，９Ａと、左，右の側面板７Ａ，７Ｂに軸受（図示せず）を用いて回転可能に支持され、左，右方向の両端側が各ケーシング９Ａ内に収容された回転軸９Ｂと、右側面板７Ｂ側のケーシング９Ａに取付けられ回転軸９Ｂを回転駆動するモータ９Ｃと、回転軸９Ｂの両端側に取付けられケーシング９Ａ内に収容された扇状の左，右の偏心ウエイト９Ｄ（左側のみ図示）とにより大略構成されている。なお、回転軸９Ｂは篩部材８よりも下側に配置されている。
【００３３】
そして、モータ９Ｃによって回転軸９Ｂを回転させると、該回転軸９Ｂの両端側に取付けた各偏心ウエイト９Ｄがケーシング９Ａ内で回転する。ここで、扇状をなす偏心ウエイト９Ｄの重心は回転軸９Ｂの軸中心から偏心しているので、各偏心ウエイト９Ｄの回転によって振動が発生し、この振動が回転軸９Ｂを通じて篩枠体７、篩部材８へと伝達される構成となっている。
【００３４】
１０，１０は篩枠体７を構成する左，右の側面板７Ａ，７Ｂの前端側に設けられた左，右のピンで、これら左，右のピン１０は、各側面板７Ａ，７Ｂの外側面に固着され、篩枠体７の外部に向けて左，右方向に突出している。そして、各ピン１０の突出端側は、フレーム２の上枠部５上まで延び、後述の各軸受１１によって回転可能に支持される構成となっている。
【００３５】
１１，１１はフレーム２を構成する上枠部５の前端上面側に取付けられた左，右の軸受で、該各軸受１１は、例えばピロー型軸受（ピローブロック）により構成されている。ここで、左，右の軸受１１は、篩枠体７に突設された左，右のピン１０を支持することにより、篩枠体７のうち傾斜方向の下側（前側）を、フレーム２に対して回転可能に支持するものである。
【００３６】
１２，１２は篩枠体７を構成する左，右の側面板７Ａ，７Ｂの後端側に取付けられた左，右のばね用ブラケットで、該各ばね用ブラケット１２は、各側面板７Ａ，７Ｂの外側面に固着され、篩枠体７の外部に向けて左，右方向に突出している。また、各ばね用ブラケット１２の突出端側には、フレーム２の上枠部５と上，下方向で対面する平板状のばね受板１２Ａが設けられている（図４参照）。そして、各ばね用ブラケット１２のばね受板１２Ａとフレーム２の上枠部５との間には、後述の弾性体１３が設けられる構成となっている。
【００３７】
１３，１３は篩枠体７の各ばね用ブラケット１２とフレーム２の上枠部５との間に設けられた左，右の弾性体で、これら左，右の弾性体１３は、例えば圧縮ばねにより構成されている。そして、各弾性体１３は、篩枠体７のうち傾斜方向の上側（後側）を、フレーム２に対して揺動可能に支持するものである。
【００３８】
このように、篩枠体７の傾斜方向の傾斜方向の下側は、軸受１１を用いてフレーム２に対し回転可能に取付けられ、篩枠体７の傾斜方向の上側は、弾性体１３を用いてフレーム２に対し揺動可能に支持されている。従って、篩装置６の振動体９を作動させると、篩枠体７全体が上，下方向に振動するのではなく、軸受１１によって支持されたピン１０を中心として篩枠体７の傾斜方向の上側が自由端となり、篩枠体７の傾斜方向の上側が上，下方向に大きく揺動（振動）する構成となっている。
【００３９】
この結果、図５及び図６に示すように、篩枠体７のうち軸受１１に支持されたピン１０の近傍位置では上，下方向の振幅ａは小さくなり、自由端となった篩枠体７の傾斜方向の上側では、上，下方向の振幅Ａが大きくなる構成となっている。
【００４０】
この場合、振動体９を、篩枠体７の傾斜方向において弾性体１３よりも上側となる部位、即ち、篩枠体７の後端側に設けることにより、篩枠体７の傾斜方向の上側の振幅Ａを一層大きくすることができる。これにより、例えば図５に示すように、篩枠体７内に一度に大量の選別対象物Ｗが投入され、この選別対象物Ｗが篩部材８上に山形に積み重なったとしても、篩枠体７の傾斜方向の上側（後側）を上，下方向に大きく揺動させることにより、図６に示すように、選別対象物Ｗの山を速やかに崩し、この選別対象物Ｗを篩部材８の後端側から前端側に亘る広い範囲に薄く分散させることができる構成となっている。
【００４１】
１４は篩装置６の下側に設けられた小選別物用コンベヤで、該小選別物用コンベヤ１４は、篩装置６によって選別された小選別物を搬送して外部に排出するものである。ここで、小選別物用コンベヤ１４は、図１、図２、図５等に示すように、フレーム２の下枠部３に設けられたコンベヤ支持台３Ａに基端側が支持され、先端側が篩装置６の下側から斜め上向きに延びたコンベヤフレーム１５と、該コンベヤフレーム１５の先端側に設けられた駆動ローラ１５Ａと基端側に設けられた従動ローラ１５Ｂとに巻装されたベルト１６と、駆動ローラ１５Ａを回転させることにより当該駆動ローラ１５Ａと従動ローラ１５Ｂとの間でベルト１６を周回させるモータ１７とにより大略構成されている。
【００４２】
そして、小選別物用コンベヤ１４は、篩装置６の篩部材８を通過して落下してくる小選別物をベルト１６によって受取り、該ベルト１６を周回させることにより小選別物を外部の排出場所まで搬送して排出するものである。
【００４３】
１８は篩装置６と小選別物用コンベヤ１４との間に設けられたシュートで、該シュート１８は、例えば下端側が小選別物用コンベヤ１４に固着され、上端側が篩装置６の篩枠体７に向けて漏斗状に拡開した左，右一対の板体により構成されている。そして、シュート１８は、篩装置６から落下した小選別物を小選別物用コンベヤ１４のベルト１６へと案内するものである。
【００４４】
１９はフレーム２の前端側から小選別物用コンベヤ１４と直交する方向に延びて設けられた大選別物用コンベヤで、該大選別物用コンベヤ１９は、篩装置６によって選別された大選別物を搬送して外部に排出するものである。ここで、大選別物用コンベヤ１９は、図１ないし図３に示すように、基端側が篩装置６の前端部よりも下側に配置され先端側が左，右方向に斜め上向きに延びたコンベヤフレーム２０と、該コンベヤフレーム２０の先端側に設けられた駆動ローラ２０Ａと基端側に設けられた従動ローラ（図示せず）とに巻装されたベルト２１と、駆動ローラ２０Ａを回転させることによりベルト２１を周回させるモータ２２とにより大略構成されている。
【００４５】
そして、大選別物用コンベヤ１９は、篩枠体７の傾斜に沿って篩部材８上を傾斜方向の上側（後側）から下側（前側）へと流下してくる大選別物をベルト２１によって受取り、該ベルト２１を周回させることにより大選別物を外部の排出場所まで搬送して排出するものである。
【００４６】
２３は大選別物用コンベヤ１９の基端側に設けられたシュートで、該シュート２３は、コンベヤフレーム２０の基端部上側に固着され、篩部材８上を流下して大選別物用コンベヤ１９側に放出される大選別物を、ベルト２１へと案内するものである。
【００４７】
本実施の形態による振動スクリーン１は上述の如き構成を有するもので、この振動スクリーン１を用いて土砂等の選別対象物を選別する場合には、篩装置６、小選別物用コンベヤ１４、大選別物用コンベヤ１９を作動させた状態で、油圧ショベル等（図示せず）によって掘削した土砂を、篩枠体７の投入開口部７Ｅから篩部材８上に投入する。このように、油圧ショベル等を用いて一度に大量の選別対象物が投入されることにより、図５に示すように、篩部材８上には選別対象物Ｗが山形に積み重なる。
【００４８】
このとき、本実施の形態による振動スクリーン１は、篩枠体７のうち傾斜方向の下側が軸受１１を用いてフレーム２に対し回転可能に取付けられているので、篩枠体７の傾斜方向の下側では上，下方向の振幅ａが小さく、自由端となった篩枠体７の傾斜方向の上側では上，下方向の振幅Ａが大きくなる。これにより、図６に示すように、選別対象物Ｗの山を速やかに崩し、この選別対象物Ｗを篩部材８の後端側から前端側に亘る広い範囲に薄く分散させることができる。
【００４９】
このようにして、篩部材８の後端側から前端側に亘る広い範囲に薄く分散した選別対象物は、振動体９によって振動を与えられた篩部材８により、当該篩部材８を通過する所定の粒度以下の小選別物と、篩部材８を通過できない所定の粒度よりも大きな大選別物とに選別される。そして、篩部材８を通過した小選別物は、シュート１８に案内されつつ小選別物用コンベヤ１４のベルト１６上に落下し、ベルト１６の周回動作によって小選別物用コンベヤ１４の先端側まで搬送した後、地面側へと排出することができる。
【００５０】
一方、篩部材８を通過できない大選別物は、篩部材８上を傾斜方向の上側から下側へと流下した後、該篩部材８の前端側から前方へと放出され、シュート２３に案内されつつ大選別物用コンベヤ１９のベルト２１上に落下する。そして、ベルト２１上に落下した大選別物は、ベルト２１の周回動作によって大選別物用コンベヤ１９の先端側まで搬送した後、地面側へと排出することができる。
【００５１】
かくして、本実施の形態による振動スクリーン１は、篩装置６を構成する篩枠体７の傾斜方向の下側を、軸受１１を用いてフレーム２に対し回転可能に取付け、篩枠体７の傾斜方向の上側を、弾性体１３を用いてフレーム２に対し揺動可能に支持する構成としている。従って、軸受１１に支持されたピン１０を中心として、篩枠体７の傾斜方向の下側の振幅ａを小さく、傾斜方向の上側の振幅Ａを大きくすることができる。
【００５２】
このため、例えば図５に示すように、篩枠体７の投入開口部７Ｅを通じて一度に大量の選別対象物Ｗが投入され、篩部材８上に部分的に山形に積み重なったとしても、篩枠体７の傾斜方向の上側を大きく揺動させることにより、図６に示すように、選別対象物Ｗの山を速やかに崩し、この選別対象物Ｗを篩部材８の広い範囲に薄く分散させることができる。
【００５３】
この結果、篩部材８上に選別対象物Ｗが厚く積み重なることにより、篩部材８を通過できる小選別物が不用意に篩部材８上を流下して大選別物用コンベヤ１９側に排出されてしまう不具合を抑え、篩部材８による選別対象物Ｗの選別作業を短時間で効率良く行うことができるので、その作業性を高めることができる。
【００５４】
次に、図７は本発明の第２の実施の形態を示し、本実施の形態の特徴は、篩装置の振動体を、篩枠体を支持する軸受と弾性体との間に設けたことにある。なお、本実施の形態では上述した第１の実施の形態と同一の構成要素に同一符号を付し、その説明を省略するものとする。
【００５５】
図中、３１は本実施の形態による振動スクリーンで、該振動スクリーン３１は、第１の実施の形態によるものと同様に、後述のフレーム３２、篩装置３６、小選別物用コンベヤ１４、大選別物用コンベヤ１９等により構成されているものの、篩装置３６を構成する振動体３９の取付位置が、第１の実施の形態とは異なるものである。
【００５６】
３２は振動スクリーン３１のベースとなるフレームで、該フレーム３２は、第１の実施の形態によるフレーム２とほぼ同様に、前，後方向に延びる長方形状の下枠部３３と、該下枠部３３に固着して設けられた複数本の支柱３４，３４，…と、各支柱３４の上端部に固着され前，後方向に延びた長方形状の上枠部３５とより大略構成されている。
【００５７】
ここで、上枠部３５の前，後方向の中央部には、後述する振動体３９との干渉を避けるため、下向きに窪むように折曲げられた屈曲部３５Ａが設けられている。また、下枠部３３には、小選別物用コンベヤ１４の基端側を支持するコンベヤ支持台３３Ａが設けられている。
【００５８】
３６はフレーム３２に取付けられた篩装置で、該篩装置３６は、第１の実施の形態による篩装置６とほぼ同様に、篩装置３６の外殻をなす篩枠体３７と、篩枠体３７の内側に設けられ選別対象物を小選別物と大選別物とに選別する篩部材３８と、篩枠体３７を介して篩部材３８に振動を与える振動体３９とにより大略構成されている。
【００５９】
ここで、篩枠体３７は、第１の実施の形態による篩枠体７と同様に、全体として前，後方向に延びる長方形の箱状に形成され、篩枠体３７の上端側は、長方形の投入開口部３７Ａとなっている。そして、篩枠体３７の前端側にはピン１０が突設され、該ピン１０は軸受１１を用いてフレーム３２に対し回転可能に支持されている。また、篩枠体３７の後端側は、弾性体１３を用いてフレーム３２に対し揺動可能に支持されている。
【００６０】
この場合、篩枠体３７は、投入開口部３７Ａが水平方向に対し所定の角度をもって傾斜した状態で、軸受１１、弾性体１３を介してフレーム３２の上枠部３５に取付けられている。そして、篩枠体３７内には、投入開口部３７Ａと平行に篩部材３８が設けられ、選別対象物は、篩枠体３７の投入開口部３７Ａから篩部材３８上に投入される構成となっている。
【００６１】
また、振動体３９は、第１の実施の形態による振動体９と同様に、偏心ウエイト（図示せず）等を備えて構成されている。そして、振動体３９は、篩枠体３７を支持する軸受１１と弾性体１３との間に取付けられ、フレーム３２の上枠部３５に凹設された屈曲部３５Ａ内に収容される構成となっている。
【００６２】
本実施の形態による振動スクリーン３１は上述の如き構成を有するもので、本実施の形態においても、振動体３９を作動させることにより、軸受１１に支持されたピン１０を中心として、篩枠体３７の傾斜方向の上側（後側）を上，下方向に大きく揺動させることができる。
【００６３】
これにより、第１の実施の形態と同様に、篩装置３６の篩枠体３７内に一度に大量の選別対象物が投入されたとしても、この選別対象物を速やかに篩部材３８の広い範囲に薄く分散させることができ、篩部材３８による選別対象物の選別作業を短時間で効率良く行うことができる。
【００６４】
次に、図８は本発明の第３の実施の形態を示し、本実施の形態の特徴は、篩枠体の水平方向に対する傾斜角度を調整する角度調整手段を設けたことにある。なお、本実施の形態では上述した第１の実施の形態と同一の構成要素に同一符号を付し、その説明を省略するものとする。
【００６５】
図中、４１は本実施の形態による振動スクリーンで、該振動スクリーン４１は、第１の実施の形態によるものと同様に、フレーム２、篩装置６、小選別物用コンベヤ１４、大選別物用コンベヤ１９等により構成されているものの、後述の角度調整手段４２を設けた点で第１の実施の形態とは異なるものである。
【００６６】
４２はフレーム２と篩装置６との間に設けられた角度調整手段で、該角度調整手段４２は、篩枠体７の水平方向に対する傾斜角度を調整するものである。ここで、角度調整手段４２は、例えば角柱状のスペーサにより構成され、フレーム２の上枠部５と弾性体１３との間にボルト等を用いて着脱可能に設けられている。
【００６７】
そして、フレーム２の上枠部５と弾性体１３との間に角度調整手段４２を配置することにより、この角度調整手段４２の高さ分だけ、篩枠体７の傾斜方向の上側（後側）がピン１０を中心として上向きに回動変位し、篩枠体７（投入開口部７Ｅ）の水平方向に対する傾斜角度が、角度調整手段４２の高さ分だけ増大する。
【００６８】
従って、例えば高さ寸法が異なる複数種類の角度調整手段４２を用意し、これら複数の角度調整手段４２のうちの一つを選択的にフレーム２の上枠部５と弾性体１３との間に設けることにより、この角度調整手段４２の高さ寸法に応じて、篩枠体７の水平方向に対する傾斜角度を適宜に調整することができる構成となっている。
【００６９】
本実施の形態による振動スクリーン４１は、上述の如き角度調整手段４２を備えるもので、その基本的作動については第１の実施の形態による振動スクリーン１と格別差異はない。
【００７０】
然るに、本実施の形態によれば、フレーム２の上枠部５と弾性体１３との間に角度調整手段４２を設けることにより、篩枠体７の水平方向に対する傾斜角度を適宜に調整することができる。
【００７１】
このため、例えば篩装置６に大量の選別対象物が投入されるときには、予め角度調整手段４２を用いて篩枠体７の傾斜角度を増大させることにより、大量の選別対象物を速やかに篩部材８の広い範囲に亘って薄く分散させることができる。この結果、篩部材８による選別対象物の選別作業を短時間で効率良く行うことができ、その作業性を高めることができる。
【００７２】
次に、図９及び図１０は本発明の第４の実施の形態を示し、本実施の形態の特徴は、フレームを固定フレームと可動フレームとにより構成し、可動フレームに篩装置を取付ける構成としたことにある。なお、本実施の形態では上述した第１の実施の形態と同一の構成要素に同一符号を付し、その説明を省略するものとする。
【００７３】
図中、５１は本実施の形態による振動スクリーンで、該振動スクリーン５１は、第１の実施の形態によるものと同様に、後述のフレーム５２、篩装置６、小選別物用コンベヤ１４、大選別物用コンベヤ１９等により構成されているものの、フレーム５２の構成が第１の実施の形態とは異なるものである。
【００７４】
５２は振動スクリーン５１のフレームで、該フレーム５２は、ベースとなる固定フレーム５３と、該固定フレーム５３に対し支持軸５４を中心として上，下方向に回動可能に支持された可動フレーム５５とにより構成され、篩装置６は、軸受１１及び後述の弾性体５６を介して可動フレーム５５に取付けられる構成となっている。
【００７５】
ここで、固定フレーム５３は、第１の実施の形態によるフレーム２とほぼ同様に、前，後方向に延びる長方形状の下枠部５３Ａと、該下枠部５３Ａに立設された複数本の支柱５３Ｂ，５３Ｂ，…と、各支柱５３Ｂの上端部に固着され前，後方向に延びた長方形状の上枠部５３Ｃとより大略構成されている。また、固定フレーム５３の後端側に位置する支柱５３Ｂには、後述の角度調整手段５７を取付けるためのブラケット５３Ｄが設けられている。
【００７６】
一方、可動フレーム５５は、固定フレーム５３の上枠部５３Ｃ上に配置され、該上枠部５３Ｃに沿って前，後方向に延びている。そして、上枠部５３Ｃの前端部と可動フレーム５５の前端部とは支持軸５４によって連結され、可動フレーム５５は、図９及び図１０に示すように支持軸５４を中心として上，下方向に回動できる構成となっている。
【００７７】
そして、可動フレーム５５の前端側には軸受１１が取付けられ、篩枠体７の傾斜方向の下側（前側）に突設されたピン１０は軸受１１によって回転可能に支持されている。また、可動フレーム５５の後端側には、互いに直交するように配置された２つの圧縮ばねからなる弾性体５６が設けられ、この弾性体５６によって篩枠体７の傾斜方向の上側（後側）を揺動可能に支持する構成となっている。
【００７８】
５７は固定フレーム５３と可動フレーム５５との間に設けられた角度調整手段で、該角度調整手段５７は、可動フレーム５５の後端側を固定フレーム５３に対し支持軸５４を中心として上，下方向に回動変位させることにより、可動フレーム５５に取付けられた篩枠体７の水平方向に対する傾斜角度を調整するものである。ここで、角度調整手段５７は、後述の昇降シリンダ５８、固定部材５９等により構成されている。
【００７９】
５８は固定フレーム５３のブラケット５３Ｄと可動フレーム５５の後端側との間に設けられた昇降シリンダで、該昇降シリンダ５８は、例えば油圧シリンダからなり、チューブ側がブラケット５３Ｄに回動可能にピン結合され、ロッド側が可動フレーム５５の後端側に回動可能にピン結合されている。従って、昇降シリンダ５８を伸縮させることにより、可動フレーム５５の後端側は、支持軸５４を中心として、図９に示す下降位置と図１０に示す上昇位置との間で回動変位（昇降）する構成となっている。
【００８０】
５９は昇降シリンダ５８と共に固定フレーム５３のブラケット５３Ｄと可動フレーム５５の後端側との間に設けられた固定部材で、該固定部材５９は、上端側が可動フレーム５５の後端側に回動可能にピン結合された大径パイプ５９Ａと、該大径パイプ５９Ａ内に摺動可能に挿嵌されると共に下端側がブラケット５３Ｄに回動可能にピン結合され、軸方向に多数のピン孔が穿設された小径パイプ５９Ｂと、大径パイプ５９Ａと小径パイプ５９Ｂのピン孔とに挿通される固定ピン５９Ｃとにより構成されている。
【００８１】
そして、昇降シリンダ５８によって可動フレーム５５を昇降させた状態で、固定部材５９の固定ピン５９Ｃを、大径パイプ５９Ａと小径パイプ５９Ｂのピン孔とに挿通することにより、可動フレーム５５を固定フレーム５３に対して固定することができる。
【００８２】
この場合、可動フレーム５５には篩枠体７が取付けられているので、可動フレーム５５を固定フレーム５３に対して昇降させることにより、篩枠体７の水平方向に対する傾斜角度を適宜に調整することができる構成となっている。
【００８３】
本実施の形態による振動スクリーン５１は、上述の如きフレーム５２、角度調整手段５７等を備えるもので、その基本的作動については第１の実施の形態による振動スクリーン１と格別差異はない。
【００８４】
然るに、本実施の形態によれば、篩枠体７が取付けられる可動フレーム５５を、固定フレーム５３に対し支持軸５４を中心として上，下方向に回動可能に支持し、固定フレーム５３と可動フレーム５５との間には、可動フレーム５５の後端側を支持軸５４を中心として昇降させることにより、篩枠体７の水平方向に対する傾斜角度を適宜に調整する角度調整手段５７を設ける構成としている。
【００８５】
このため、例えば篩装置６に大量の選別対象物が投入されるときには、予め角度調整手段５７を用いて篩枠体７の傾斜角度を増大させ、大量の選別対象物を速やかに篩部材８の広い範囲に亘って薄く分散させることにより、篩部材８による選別対象物の選別作業を短時間で効率良く行うことができる。
【００８６】
しかも、篩枠体７が取付けられた可動フレーム５５を、角度調整手段５７の昇降シリンダ５８によって容易に昇降させることができるので、篩枠体７の傾斜角度を調整するときの作業性を高めることができる。
【００８７】
次に、図１１は本発明の第５の実施の形態を示し、本実施の形態の特徴は、篩装置に選別対象物が投入されたことを検出する投入検出手段と、選別対象物が投入されたことを検出したときに篩枠体の傾斜角度を調整する角度調整手段とを設ける構成としたことにある。なお、本実施の形態では上述した第１の実施の形態と同一の構成要素に同一符号を付し、その説明を省略するものとする。
【００８８】
図中、６１は本実施の形態による振動スクリーンで、該振動スクリーン６１は、後述のフレーム６２、篩装置６、小選別物用コンベヤ１４、大選別物用コンベヤ１９、超音波センサ６７、角度調整シリンダ６８等により構成されている。
【００８９】
６２は振動スクリーン６１のフレームで、該フレーム６２は、ベースとなる固定フレーム６３と、該固定フレーム６３に対し支持軸６４を中心として上，下方向に回動可能に支持された可動フレーム６５とにより構成されている。
【００９０】
ここで、固定フレーム６３は、前，後方向に延びる長方形状の下枠部６３Ａと、該下枠部６３Ａに立設された複数本の支柱６３Ｂ，６３Ｂ，…と、各支柱６３Ｂの上端部に固着され前，後方向に延びた長方形状の上枠部６３Ｃとより大略構成されている。また、固定フレーム６３の後端側に位置する支柱６３Ｂには、後述の角度調整シリンダ６８を取付けるためのブラケット６３Ｄが設けられている。
【００９１】
一方、可動フレーム６５は、固定フレーム６３の上枠部６３Ｃ上に配置され、該上枠部６３Ｃに沿って前，後方向に延びている。そして、上枠部６３Ｃの前端部と可動フレーム６５の前端部とは支持軸６４によって連結され、可動フレーム６５は、支持軸６４を中心として上，下方向に回動できる構成となっている。
【００９２】
そして、可動フレーム６５の前端側には軸受１１が取付けられ、篩枠体７の傾斜方向の下側（前側）に突設されたピン１０は軸受１１によって回転可能に支持されている。また、可動フレーム６５の後端側には、互いに直交するように配置された２つの圧縮ばねからなる弾性体６６が設けられ、この弾性体６６によって篩枠体７の傾斜方向の上側（後側）を揺動可能に支持する構成となっている。
【００９３】
６７は篩装置６に選別対象物が投入されたことを検出する投入検出手段としての超音波センサで、該超音波センサ６７は、例えば可動フレーム６５の後端部に設けられた発信部６７Ａと、篩枠体７の後端部に設けられた受信部６７Ｂとにより構成されている。そして、超音波センサ６７は、可動フレーム６５の後端部と篩枠体７の後端部との間の距離Ｌが減少したことを検出することにより、篩装置６の篩枠体７内に選別対象物が投入されたことを検出するものである。
【００９４】
６８は固定フレーム６３と可動フレーム６５との間に設けられた角度調整手段としての角度調整シリンダで、該角度調整シリンダ６８は、例えば油圧シリンダからなり、チューブ側が固定フレーム６３のブラケット６３Ｄに回動可能にピン結合され、ロッド側が可動フレーム６５の後端側に回動可能にピン結合されている。
【００９５】
そして、角度調整シリンダ６８は、篩装置６の篩枠体７内に選別対象物が投入されたことを超音波センサ６７が検出したときに、油圧ポンプ（図示せず）からの圧油の給排によって伸縮し、可動フレーム６５の後端側を固定フレーム６３に対し支持軸６４を中心として上，下方向に回動変位させることにより、可動フレーム６５に取付けられた篩枠体７の水平方向に対する傾斜角度を調整するものである。
【００９６】
本実施の形態による振動スクリーン６１は、上述の如き超音波センサ６７、角度調整シリンダ６８等を備えるもので、超音波センサ６７が、篩装置６の篩枠体７内に選別対象物が投入されたことを検出したときには、角度調整シリンダ６８を伸長させ、可動フレーム６５の後端側を固定フレーム６３に対し支持軸６４を中心として上方に回動変位させることにより、篩枠体７の水平方向に対する傾斜角度を増大させることができる。
【００９７】
このように、篩装置６に選別対象物が投入されたときには、角度調整シリンダ６８によって篩枠体７の水平方向に対する傾斜角度を自動的に増大させることができ、大量の選別対象物を速やかに篩部材８の広い範囲に亘って薄く分散させることにより、篩部材８による選別対象物の選別作業を短時間で効率良く行うことができる。
【００９８】
次に、図１２は本発明の第６の実施の形態を示し、本実施の形態の特徴は、篩装置に選別対象物が投入されたことを検出する投入検出手段としてロードセルを用いたことにある。なお、本実施の形態では上述した第１の実施の形態と同一の構成要素に同一符号を付し、その説明を省略するものとする。
【００９９】
図中、７１は本実施の形態による振動スクリーンで、該振動スクリーン７１は、後述のフレーム７２、篩装置６、小選別物用コンベヤ１４、大選別物用コンベヤ１９、ロードセル７７、角度調整シリンダ７８等により構成されている。
【０１００】
７２は振動スクリーン７１のフレームで、該フレーム７２は、ベースとなる固定フレーム７３と、該固定フレーム７３に対し支持軸７４を中心として上，下方向に回動可能に支持された可動フレーム７５とにより構成されている。
【０１０１】
ここで、固定フレーム７３は、下枠部７３Ａと、複数本の支柱７３Ｂ，７３Ｂ，…と、上枠部７３Ｃとより大略構成されている。また、固定フレーム７３の後端側に位置する支柱７３Ｂには、後述の角度調整シリンダ７８を取付けるためのブラケット７３Ｄが設けられている。
【０１０２】
一方、可動フレーム７５は、固定フレーム７３の上枠部７３Ｃ上に配置され、該上枠部７３Ｃに沿って前，後方向に延びている。そして、上枠部７３Ｃの前端部と可動フレーム７５の前端部とは支持軸７４によって連結され、可動フレーム７５は、支持軸７４を中心として上，下方向に回動できる構成となっている。
【０１０３】
そして、可動フレーム７５の前端側には軸受１１が取付けられ、篩枠体７の傾斜方向の下側（前側）に突設されたピン１０は軸受１１によって回転可能に支持されている。また、可動フレーム７５の後端側には、互いに直交するように配置された２つの圧縮ばねからなる弾性体７６が設けられ、この弾性体７６によって篩枠体７の傾斜方向の上側（後側）を揺動可能に支持する構成となっている。
【０１０４】
７７は可動フレーム７５と弾性体７６との間に設けられた投入検出手段としてのロードセルで、該ロードセル７７は、篩装置６の篩枠体７内に投入された選別対象物の重量を検出するものである。
【０１０５】
７８は固定フレーム７３と可動フレーム７５との間に設けられた角度調整手段としての角度調整シリンダで、該角度調整シリンダ７８は、例えば油圧シリンダからなり、チューブ側が固定フレーム７３のブラケット７３Ｄに回動可能にピン結合され、ロッド側は可動フレーム７５の後端側に回動可能にピン結合されている。
【０１０６】
そして、角度調整シリンダ７８は、篩装置６の篩枠体７内に選別対象物が投入されたときに、ロードセル７７によって検出された選別対象物の重量に応じて、油圧ポンプ（図示せず）からの圧油の給排によって伸縮する。これにより、可動フレーム７５の後端側を固定フレーム７３に対し支持軸７４を中心として上，下方向に回動変位させ、可動フレーム７５に取付けられた篩枠体７の水平方向に対する傾斜角度を調整するものである。
【０１０７】
本実施の形態による振動スクリーン７１は、上述の如きロードセル７７、角度調整シリンダ７８等を備えるもので、ロードセル７７が、篩装置６に投入された選別対象物の重量を検出し、角度調整シリンダ７８が、ロードセル７７によって検出された選別対象物の重量に応じて篩枠体７の傾斜角度を適宜に調整する。
【０１０８】
従って、例えば篩装置６に大量の選別対象物が投入されたときには、篩枠体７の傾斜角度を増大させることにより、大量の選別対象物を篩部材８の広い範囲に亘って速やかに分散させ、篩部材８による選別作業を効率良く行うことができる。一方、例えば篩部材８上の選別対象物が減少したときには、篩枠体７の傾斜角度を減少させることにより、小選別物が篩部材８の傾斜に沿って大選別物用コンベヤ１９側に排出されてしまうのを抑えることができ、篩部材８によって小選別物と大選別物とを的確に選別することができる。
【０１０９】
なお、上述した第１の実施の形態では、フレーム２を地面上に配置した定置式の振動スクリーン１を例に挙げて説明している。しかし、本発明はこれに限るものではなく、例えば図１３に示す変形例のように、自走式の振動スクリーン８１として構成してもよい。即ち、自走可能なクローラ式の走行体８２を備え、この走行体８２上にフレーム８３、篩装置６、小選別物用コンベヤ８４、大選別物用コンベヤ８５等を配設した自走式の振動スクリーン８１としてもよい。
【０１１０】
また、上述した各実施の形態では、篩枠体７内に網状の篩部材８を設けた場合を例示している。しかし、本発明はこれに限らず、例えばグリズリ等のくし歯状に配列された多数の棒状の篩部材を用いる構成としてもよい。
【０１１１】
また、上述した各実施の形態では、篩枠体７を構成する左，右の側面板７Ａ，７Ｂにそれぞれピン１０を突設し、この左，右のピン１０を軸受１１によって支持した場合を例示している。しかし、本発明はこれに限らず、例えば左，右の側面板７Ａ，７Ｂを貫通する１本の軸を設け、当該軸の両端側を軸受１１によって支持する構成としてもよい。
【０１１２】
また、例えば篩枠体７に取付けられる一方の軸部と、フレーム２の上枠部５側に取付けられる他方の軸部とが偏心したクランク状の偏心軸を用い、この偏心軸の一方の軸部を篩枠体７に取付け、他方の軸部を軸受１１を介してフレーム２の上枠部５に取付ける構成としてもよい。
【０１１３】
また、上述した第４の実施の形態では、固定フレーム５３に対して可動フレーム５５を回動させるために油圧シリンダからなる昇降シリンダ５８を用いた場合を例示している。しかし、本発明はこれに限らず、例えばモータによって回転駆動されるねじ軸、ラックアンドピニオン等の他の機構を昇降シリンダ５８に代えて用いる構成としてもよい。このことは、第５の実施の形態による角度調整シリンダ６８、第６の実施の形態による角度調整シリンダ７８についても同様である。
【０１１４】
さらに、上述した第５の実施の形態では、篩装置６に選別対象物が投入されたことを検出する投入検出手段として超音波センサ６７を例示している。しかし、本発明はこれに限らず、例えば光センサ等を用いる構成としてもよい。
【図面の簡単な説明】
【０１１５】
【図１】本発明の第１の実施の形態による振動スクリーンを示す正面図である。
【図２】振動スクリーンを上方からみた平面図である。
【図３】図１中のフレーム、篩装置等の要部を示す要部拡大の正面図である。
【図４】フレーム、篩装置、軸受、弾性体等を示す斜視図である。
【図５】篩装置に投入された選別対象物が篩部材上に積み重なった状態を示す図２中の矢示Ｖ−Ｖ方向からみた断面図である。
【図６】選別対象物が篩部材の広い範囲に分散した状態を示す図５と同様な断面図である。
【図７】第２の実施の形態による振動スクリーンを示す要部拡大の正面図である。
【図８】第３の実施の形態による振動スクリーンを示す要部拡大の正面図である。
【図９】第４の実施の形態による振動スクリーンを、可動フレームを下降位置とした状態で示す要部拡大の正面図である。
【図１０】第４の実施の形態による振動スクリーンを、可動フレームを上昇位置とした状態で示す要部拡大の正面図である。
【図１１】第５の実施の形態による振動スクリーンを示す要部拡大の正面図である。
【図１２】第６の実施の形態による振動スクリーンを示す要部拡大の正面図である。
【図１３】変形例による自走式の振動スクリーンを示す正面図である。
【符号の説明】
【０１１６】
１，３１，４１，５１，６１，７１，８１  振動スクリーン
２，３２，５２，６２，７２，８３  フレーム
６，３６  篩装置
７，３７  篩枠体
８，３８  篩部材
９，３９  振動体
１１  軸受
１３，５６，６６，７６  弾性体
１４  小選別物用コンベヤ
１９  大選別物用コンベヤ
４２，５７  角度調整手段
５８  昇降シリンダ
５９  固定部材
６７  超音波センサ（投入検出手段）
６８，７８  角度調整シリンダ（角度調整手段）
７７  ロードセル（投入検出手段）
【図１】
2008080239.tif 000003
【図２】
2008080239.tif 000004
【図３】
2008080239.tif 000005
【図４】
2008080239.tif 000006
【図５】
2008080239.tif 000007
【図６】
2008080239.tif 000008
【図７】
2008080239.tif 000009
【図８】
2008080239.tif 000010
【図９】
2008080239.tif 000011
【図１０】
2008080239.tif 000012
【図１１】
2008080239.tif 000013
【図１２】
2008080239.tif 000014
【図１３】
2008080239.tif 000015